【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
記録媒体がクローズされるとき、最終管理情報を記録する最終管理領域と、
一時管理情報を記録し、指定された順に連続的に使用される少なくとも１つの一時管理領域と、
一時管理領域のどの領域が現在使用されているかを示す少なくとも１つの第１のインジケータと、前記記録媒体がクローズされたか否かを示す第２のインジケータとを含むアクセスインジケータ領域と
を含み、前記第１及び第２のインジケータは前記一時管理領域のうちの１つに配置され、前記第２のインジケータは前記第１のインジケータより内側に配置されることを特徴とする記録媒体。
【請求項２】
前記一時管理領域は前記記録媒体のリードイン領域に配置されることを特徴とする請求項１に記載の記録媒体。
【請求項３】
前記第１及び第２のインジケータは、前記一時管理領域のうちの前記１つの先頭側部分に配置されることを特徴とする請求項２に記載の記録媒体。
【請求項４】
前記第１のインジケータは、複数のセクタを含み、前記セクタの少なくとも１つは、前記一時管理領域に記録された前記記録媒体の最新の使用状態情報を含むことを特徴とする請求項１に記載の記録媒体。
【請求項５】
前記第１のインジケータは、前記最新の使用状態情報を含む一時管理領域を識別する位置情報を含むことを特徴とする請求項４に記載の記録媒体。
【請求項６】
各セクタに含まれた最新の使用状態情報は、互いに等しいことを特徴とする請求項４に記載の記録媒体。
【請求項７】
前記第１のインジケータに含まれた最新の使用状態情報は、現在使用されている一時管理領域に最初に記録された前記記録媒体の使用状態情報と等しいことを特徴とする請求項４に記載の記録媒体。
【請求項８】
前記第２のインジケータは、前記一時管理領域のうちの前記１つの第１の先頭側クラスタである１つのクラスタの大きさであることを特徴とする請求項３に記載の記録媒体。
【請求項９】
前記第１のインジケータは、前記一時管理領域のうちの前記１つの第２の先頭側クラスタから開始する少なくとも１つのクラスタの大きさであることを特徴とする請求項８に記載の記録媒体。
【請求項１０】
前記第２のインジケータは、複数のセクタを含み、前記記録媒体をクローズする時における前記記録媒体の最新の使用状態情報を含む少なくとも１つのセクタを含むことを特徴とする請求項１に記載の記録媒体。
【請求項１１】
一時管理情報を記録する少なくとも１つの一時管理領域と、前記記録媒体がクローズされるときに最終情報を記録する最終管理領域とを含む記録媒体に管理情報を記録する方法において、
一時管理領域のうちのいずれの１つが現在使用されているかを示す第１のインジケータを作成するステップと、
前記記録媒体がクローズされるか否かを示す第２のインジケータを作成するステップと
を含み、前記第１及び第２のインジケータは前記一時管理領域の１つに配置され、前記第２のインジケータは前記第１のインジケータより内側に配置されることを特徴とする管理情報の記録方法。
【請求項１２】
前記一時管理領域のうちの前記１つは、前記記録媒体のリードインエリアに配置されることを特徴とする請求項１１に記載の管理情報の記録方法。
【請求項１３】
前記第１及び第２のインジケータは、前記一時管理領域のうちの前記１つの先頭側部分に作成されることを特徴とする請求項１１に記載の管理情報の記録方法。
【請求項１４】
前記第１のインジケータは複数のセクタを含み、前記一時管理領域に記録された前記記録媒体の最新の使用状態情報は、前記セクタの少なくとも１つに記録されることを特徴とする請求項１１に記載の管理情報の記録方法。
【請求項１５】
前記第１のインジケータは、前記最新の使用状態情報を記録する一時管理領域を識別する位置情報を含むことを特徴とする請求項１４に記載の管理情報の記録方法。
【請求項１６】
各セクタに含まれた前記最新の使用状態情報は、互いに等しいことを特徴とする請求項１４に記載の管理情報の記録方法。
【請求項１７】
前記第１のインジケータに含まれた最新の使用状態情報は、現在使用されている一時管理領域に最初に記録された前記記録媒体の使用状態情報と等しいことを特徴とする請求項１４に記載の管理情報の記録方法。
【請求項１８】
前記第２のインジケータは、前記一時管理領域のうちの前記１つの第１の先頭側クラスタである１つのクラスタの大きさであることを特徴とする請求項１３に記載の管理情報の記録方法。
【請求項１９】
前記第１のインジケータは、前記一時管理領域のうちの前記１つの第２の先頭側クラスタから開始する少なくとも１つのクラスタの大きさであることを特徴とする請求項１８に記載の管理情報の記録方法。
【請求項２０】
前記第２のインジケータは、複数のセクタを含み、前記記録媒体がクローズされるとき、前記一時管理領域に記録された前記記録媒体の最新の使用状態情報は前記セクタの少なくとも１つに記録されることを特徴とする請求項１１に記載の管理情報の記録方法。
【請求項２１】
少なくとも１つの一時管理領域と最終管理領域とを含む記録媒体に記録されたデータを再生する方法において、
前記記録媒体内の第２のインジケータに基づいて、前記記録媒体がクローズされるか否かを判断するステップと、
前記記録媒体がクローズされない場合、前記記録媒体内の少なくとも１つの第１のインジケータに基いて、前記一時管理領域のうちのいずれが現在使用されているかを判断するステップと、
前記記録媒体がクローズされる場合、前記最終管理領域から最終管理情報を読み取り、または
前記記録媒体がクローズされない場合、現在使用されていると判断された一時管理領域から一時管理情報を読み取るステップと、
前記最終管理情報または前記一時管理情報に基づいて、前記記録媒体からのデータを再生するステップと
を含み、前記第１及び第２のインジケータは前記一時管理領域のうちの１つに配置され、前記第２のインジケータは前記第１のインジケータより内側に配置されることを特徴とするデータの再生方法。
【請求項２２】
一時管理情報を記録する少なくとも１つの一時管理領域と、最終管理情報を記録する最終管理領域とを含む記録媒体に管理情報を記録する管理情報の記録装置において、
一時管理領域のどの領域が現在使用されているかを示すために作成される少なくとも１つの第１のインジケータと、
前記記録媒体がクローズされるとき、前記記録媒体がクローズされることを示すために作成される第２のインジケータと
を制御する制御装置を備え、
前記第１及び第２のインジケータは前記一時管理領域のうちの１つに配置され、前記第２のインジケータは前記第１のインジケータより内側に配置されることを特徴とする管理情報の記録装置。
【請求項２３】
少なくとも１つの一時管理領域と、最終管理領域とを含む記録媒体に記録されたデータを生成するデータの再生装置であって、
前記記録媒体内の第２のインジケータに基づいて、前記記録媒体がクローズされるか否かを判断し、
前記記録媒体がクローズされない場合、前記記録媒体内の少なくとも１つの第１のインジケータに基づいて、前記一時管理領域のどの領域が現在使用されているかを判断し、
前記記録媒体がクローズされる場合、前記最終管理領域から読み取られる最終管理情報を制御し、または前記記録媒体がクローズされない場合、現在使用されていると判断された一時管理領域から読み取られる一時管理情報を制御し、
前記読み取られた最終管理情報または前記読み取られた一時管理情報に基づいて再生される前記記録媒体に記録されたデータを制御する制御装置を備え、
前記第１及び第２のインジケータは、前記一時管理領域のうちの１つに配置され、前記第２のインジケータは前記第１のインジケータより内側に配置されることを特徴とするデータの再生装置。
【請求項２４】
前記一時管理領域のうちの前記１つは、前記記録媒体のリードイン領域に配置され、前期第１及び第２のインジケータは前記一時管理領域のうちの前記１つの先頭側部分に配置されることを特徴とする請求項２１に記載のデータの再生方法。
【請求項２５】
前記第１のインジケータは複数のセクタを含み、前記セクタの少なくとも１つは、現在使用されていると判断された一時管理領域に最初に記録された前記記録媒体の使用状態情報を含むことを特徴とする請求項２１に記載のデータの再生方法。
【請求項２６】
前記第２のインジケータは複数のセクタを含み、前記セクタの少なくとも１つは、前記記録媒体をクローズする時における前記記録媒体の最新の使用状態情報を含むことを特徴とする請求項２１に記載のデータの再生方法。
【請求項２７】
前記制御装置の制御に従って前記記録媒体にデータを記録するピックアップをさらに備えたことを特徴とする請求項２２に記載の管理情報の記録装置。
【請求項２８】
前記制御ニットの制御に従って前記記録媒体からのデータを再生するピックアップをさらに備えたことを特徴とする請求項２２に記載の管理情報の記録装置。
【手続補正２】
【補正対象書類名】明細書
【補正対象項目名】００１１
【補正方法】変更
【補正の内容】
【００１１】
前記目的の達成及び以下幅広く実現され記載される本発明の意図によれば、記録媒体がクローズされるとき、最終管理情報を記録する最終管理領域と、一時管理情報を記録し、指定された順に連続的に使用される少なくとも１つの一時管理領域と、一時管理領域のどの領域が現在使用されているかを示す少なくとも１つの第１のインジケータと、前記記録媒体がクローズされたか否かを示す第２のインジケータとを含むアクセスインジケータ領域とを含み、前記第１及び第２のインジケータは前記一時管理領域のうちの１つに配置され、前記第２のインジケータは前記第１のインジケータより内側に配置される記録媒体が提供される。
【手続補正３】
【補正対象書類名】明細書
【補正対象項目名】００１２
【補正方法】変更
【補正の内容】
【００１２】
本発明の他の態様によれば、一時管理情報を記録する少なくとも１つの一時管理領域と、前記記録媒体がクローズされるときに最終情報を記録する最終管理領域とを含む記録媒体に管理情報を記録する方法において、一時管理領域のうちのいずれの１つが現在使用されているかを示す第１のインジケータを作成するステップと、前記記録媒体がクローズされるか否かを示す第２のインジケータを作成するステップとを含み、前記第１及び第２のインジケータは前記一時管理領域の１つに配置され、前記第２のインジケータは前記第１のインジケータより内側に配置される管理情報の記録方法が提供される。
【手続補正４】
【補正対象書類名】明細書
【補正対象項目名】００１３
【補正方法】変更
【補正の内容】
【００１３】
少なくとも１つの一時管理領域と最終管理領域とを含む記録媒体に記録されたデータを再生する方法において、前記記録媒体内の第２のインジケータに基づいて、前記記録媒体がクローズされるか否かを判断するステップと、前記記録媒体がクローズされない場合、前記記録媒体内の少なくとも１つの第１のインジケータに基いて、前記一時管理領域のうちのいずれが現在使用されているかを判断するステップと、前記記録媒体がクローズされる場合、前記最終管理領域から最終管理情報を読み取り、または前記記録媒体がクローズされない場合、現在使用されていると判断された一時管理領域から一時管理情報を読み取るステップと、前記最終管理情報または前記一時管理情報に基づいて、前記記録媒体からのデータを再生するステップとを含み、前記第１及び第２のインジケータは前記一時管理領域のうちの１つに配置され、前記第２のインジケータは前記第１のインジケータより内側に配置されることを特徴とするデータの再生方法が提供される。
【手続補正５】
【補正対象書類名】明細書
【補正対象項目名】００１４
【補正方法】変更
【補正の内容】
【００１４】
本発明の更に他の態様によれば、一時管理情報を記録する少なくとも１つの一時管理領域と、最終管理情報を記録する最終管理領域とを含む記録媒体に管理情報を記録する管理情報の記録装置において、一時管理領域のどの領域が現在使用されているかを示すために作成される少なくとも１つの第１のインジケータと、前記記録媒体がクローズされるとき、前記記録媒体がクローズされることを示すために作成される第２のインジケータとを制御する制御装置を備え、前記第１及び第２のインジケータは前記一時管理領域のうちの１つに配置され、前記第２のインジケータは前記第１のインジケータより内側に配置される管理情報の記録装置が提供される。
【手続補正６】
【補正対象書類名】明細書
【補正対象項目名】００１５
【補正方法】変更
【補正の内容】
【００１５】
本発明の更に他の態様によれば、少なくとも１つの一時管理領域と、最終管理領域とを含む記録媒体に記録されたデータを生成するデータの再生装置であって、前記記録媒体内の第２のインジケータに基づいて、前記記録媒体がクローズされるか否かを判断し、前記記録媒体がクローズされない場合、前記記録媒体内の少なくとも１つの第１のインジケータに基づいて、前記一時管理領域のどの領域が現在使用されているかを判断し、前記記録媒体がクローズされる場合、前記最終管理領域から読み取られる最終管理情報を制御し、または前記記録媒体がクローズされない場合、現在使用されていると判断された一時管理領域から読み取られる一時管理情報を制御し、前記読み取られた最終管理情報または前記読み取られた一時管理情報に基づいて再生される前記記録媒体に記録されたデータを制御する制御装置を備え、前記第１及び第２のインジケータは、前記一時管理領域のうちの１つに配置され、前記第２のインジケータは前記第１のインジケータより内側に配置されるデータの再生装置が提供される。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２３
【補正方法】変更
【補正の内容】
【００２３】
図２Ａに示すように、単層光ディスクは、内周から外周に向かってリードイン領域３０、データ領域３２、及びリードアウト領域３４を含む。データ領域３２は、欠陥領域を代替するための内部スペア領域（ＩＳＡ）と外部スペア領域（ＯＳＡ）、及びユーザデータを記録するためのユーザデータ領域を含む。追記型光ディスクは、さらに複数の一時ディスク／欠陥管理領域（ＴＤＭＡ）だけでなく、複数のディスク／欠陥管理領域（ＤＭＡ）を含む。ＤＭＡ（ＤＭＡ１〜ＤＭＡ４）は、リードイン及びリードアウト領域３０、３４に提供される。ＴＤＭＡは、管理情報を一時保存するのに対し、ＤＭＡは、管理情報を永続的に保存する。例えば、ディスクがファイナライズ（ｆｉｎａｌｉｚｅ）またはクローズされるとき、ＴＤＭＡに保存された管理情報はＤＭＡのそれぞれに送られて保存され、同一の情報が複数のＤＭＡへ４回繰り返し保存される。
【手続補正１１】
【補正対象書類名】明細書
【補正対象項目名】００２６
【補正方法】変更
【補正の内容】
【００２６】
本発明の一実施例によれば、複数のＴＤＭＡを管理するための管理情報は、ＴＤＭＡ０のヘッドに記録される。この種のＴＤＭＡ管理情報は、例えば、図２Ａ中の要素５０であるＴＤＭＡアクセスインジケータ（ＴＡＩ）として以下に言及される。ＴＡＩは、ＴＬＩ（ＴＤＭＡ ｌｏｃａｔｉｏｎ ｉｎｄｉｃａｔｏｒ）と言うことがある。ＴＡＩは、特定の使用シーケンス／順番で用いられる全てのＴＤＭＡのうちどのＴＤＭＡが“使用中のＴＤＭＡ”であるかを識別する。“使用中のＴＤＭＡ”は、指定された使用シーケンスを有する全ての複数のＴＤＭＡのうち、現在使用中／アクセス中であるか、または現在利用可能なＴＤＭＡである。ＴＡＩは、さらにディスクが現在クローズ／ファイナライズした状態であるか否かに関する情報も提供する。
【手続補正１２】
【補正対象書類名】明細書
【補正対象項目名】００３５
【補正方法】変更
【補正の内容】
【００３５】
図３Ａに示すように、単層追記型光ディスクにおけるＴＡＩ５０は、ディスク上のＴＤＭＡ０の先頭の２つのヘッドクラスタ５０ａ、５０ｂからなる。２つのＴＡＩクラスタ５０ａ、５０ｂの一方は、光ディスクがファイナライズした／クローズ状態であるか否かを知らせるためのＤＭＡディスククロージングインジケータ５１として用いられ、２つのＴＡＩクラスタ５０ａ、５０ｂの他の一方は、ＴＤＭＡ１が使用中のＴＤＭＡであるか否かを示すためのＴＤＭＡ１使用中インジケータ５２として用いられる。本例において、ＴＡＩ５０の第１のヘッドクラスタ５０ａは、ＤＭＡディスククロージングインジケータ５１として作用し、第２のヘッドクラスタ５０ｂは、ＴＤＭＡ１使用中インジケータとして作用する。しかし、このような割り当ての順番は、必要に応じて入れ替えることができる。
【手続補正１３】
【補正対象書類名】明細書
【補正対象項目名】００３８
【補正方法】変更
【補正の内容】
【００３８】
ＤＭＡディスククロージングインジケータ５１は、追記型光ディスクがクローズ／ファイナライズしたかを通知する働きをする。これは、ＴＡＩの第１のクラスタ５０ａに任意のデータを記録することによって実現することができる。第１のクラスタ５０ａにこのような記録があれば、第１のＴＡＩクラスタ５０ａは記録状態であるとされ、第１のＴＡＩクラスタ５０ａの記録状態はディスクがファイナライズ／クローズされたことを意味する。第１のＴＡＩクラスタ５０ａにこのような記録がなければ、第１のＴＡＩクラスタ５０ａは非記録状態であるとされ、ディスクがまだファイナライズ／クローズされていないことを意味する。
【手続補正１４】
【補正対象書類名】明細書
【補正対象項目名】００３９
【補正方法】変更
【補正の内容】
【００３９】
ユーザまたはホストは、ディスクのクロージングを要請することができ、またはディスクのクロージングはユーザデータ／管理領域を記録するためのユーザデータ領域または管理データ領域がない場合に自動的にトリガーされてもよい。ディスクが一旦クローズされれば、ディスクは本質的に読み出し専用状態となり、これによりデータを順次記録することが不可能になる。ディスクのクロージングはディスクの終了化（ｆｉｎａｌｉｚｉｎｇ）またはディスクの終了（ｆｉｎａｌｉｚａｔｉｏｎ）とも言う。
【手続補正１５】
【補正対象書類名】明細書
【補正対象項目名】００８３
【補正方法】変更
【補正の内容】
【００８３】
一方、ディスクがクローズされていないと判定されれば、記録／再生装置は、ＴＡＩのＴＤＭＡ使用中インジケータによって表示された使用中のＴＤＭＡに移動し、使用中のＴＤＭＡに記録された最新のＴＤＤＳ情報を含む管理情報を読み込む（Ｓ５０）。このようなＴＤＤＳ情報は、ＴＡＩから得られる。また、記録／再生装置は、先にＴＡＩ内に記録されたＴＤＤＳ情報から“固定管理フィールド”情報を読み込み、ディスク全体の構造などに関する情報を得て、以降、現在使用中のＴＤＭＡに移動して最新の“可変管理フィールド”情報を読み込むことができる。
【手続補正１６】
【補正対象書類名】明細書
【補正対象項目名】００８４
【補正方法】変更
【補正の内容】
【００８４】
上述したように、ディスクの最終的な管理情報が読み込まれた後、データの選択または必要に応じて記録または再生される（Ｓ６０）。